【手続補正書】
【提出日】令和3年7月13日(2021.7.13)
【手続補正１】
【補正対象書類名】明細書
【補正対象項目名】０００７
【補正方法】変更
【補正の内容】
【０００７】
上記目的を達成するために本発明は、撮像部を備えた筐体と、各々が独立して画像を表示可能な複数の表示部を備え、保持位置において前記筐体に保持された表示装置と、前記表示装置の表示を制御する制御手段と、を有し、前記表示装置において、互いに隣接する前記表示部の表示面同士が成す角度が可変に構成され、前記複数の表示部は、前記保持位置から最も遠い第１の表示部と、前記保持位置において前記筐体に保持された表示部を含む第２の表示部とを含み、前記表示装置がとり得る状態として、互いに隣接する前記表示部の表示面同士が成す角度の全てが第１の角度より大きい第１状態と、互いに隣接する前記表示部の表示面同士が成す角度の全てが、前記第１の角度より小さい第２の角度より小さい第２状態と、前記第１状態または前記第２状態のいずれでもない第３状態とがあり、前記第１の表示部は、前記筐体に対してなす角度を変更可能な少なくとも１つ以上の前記第２の表示部を介して前記筐体と接続されており、前記制御手段は、前記第１の状態においては、前記第１の表示部と前記第２の表示部の少なくとも１つに画像を表示させ、前記第１の状態から前記第３状態に遷移した際に、前記第１の表示部に画像を表示させると共に、前記第２の表示部の少なくとも１つには画像を表示させないように制御することを特徴とする。
【手続補正２】
【補正対象書類名】特許請求の範囲
【補正対象項目名】全文
【補正方法】変更
【補正の内容】
【特許請求の範囲】
【請求項１】
撮像部を備えた筐体と、
各々が独立して画像を表示可能な複数の表示部を備え、保持位置において前記筐体に保持された表示装置と、
前記表示装置の表示を制御する制御手段と、を有し、
前記表示装置において、互いに隣接する前記表示部の表示面同士が成す角度が可変に構成され、
前記複数の表示部は、前記保持位置から最も遠い第１の表示部と、前記保持位置において前記筐体に保持された表示部を含む第２の表示部とを含み、
前記表示装置がとり得る状態として、互いに隣接する前記表示部の表示面同士が成す角度の全てが第１の角度より大きい第１状態と、互いに隣接する前記表示部の表示面同士が成す角度の全てが、前記第１の角度より小さい第２の角度より小さい第２状態と、前記第１状態または前記第２状態のいずれでもない第３状態とがあり、
前記第１の表示部は、前記筐体に対してなす角度を変更可能な少なくとも１つ以上の前記第２の表示部を介して前記筐体と接続されており、
前記制御手段は、前記第１の状態においては、前記第１の表示部と前記第２の表示部の少なくとも１つに画像を表示させ、前記第１の状態から前記第３状態に遷移した際に、前記第１の表示部に画像を表示させると共に、前記第２の表示部の少なくとも１つには画像を表示させないように制御することを特徴とする電子機器。
【請求項２】
前記筐体は第３の表示部を備え、
前記第２状態で且つ、前記筐体に保持された前記第３の表示部の表示面の法線方向における当該表示面の正面視において、前記第１の表示部の表示面が視認可能である場合は、前記制御手段は、前記第１の表示部に画像を表示させると共に、前記第２の表示部のいずれにも画像を表示させないことを特徴とする請求項１に記載の電子機器。
【請求項３】
前記筐体は第３の表示部を備え、
前記第２状態で且つ、前記筐体に保持された前記第３の表示部の表示面の法線方向における当該表示面の正面視において、前記第１の表示部の表示面が視認可能でない場合は、前記制御手段は、前記複数の表示部のいずれにも画像を表示させないことを特徴とする請求項１に記載の電子機器。
【請求項４】
前記制御手段は、前記第３状態であっても、前記複数の表示部において隣接する表示部の組のうち、表示面同士が成す角度が第３の角度より大きくなる組がある場合は、当該組を構成する表示部に画像を表示させることを特徴とする請求項１乃至３のいずれか１項に記載の電子機器。
【請求項５】
前記筐体は第３の表示部を備え、
前記制御手段は、前記第３状態であっても、前記筐体に保持された前記第３の表示部の表示面と前記第３の表示部に隣接する表示部の表示面とが成す角度が第４の角度より大きい場合は、さらに、前記第３の表示部にも画像を表示させることを特徴とする請求項１に記載の電子機器。
【請求項６】
前記制御手段は、前記第１、第２、第３状態のいずれの状態であっても、ユーザからの指示が入力された場合は、前記指示に基づいて前記複数の表示部の表示を制御することを特徴とする請求項１乃至５のいずれか１項に記載の電子機器。
【請求項７】
前記表示装置において、隣接する前記表示部は互いに相対的に回動可能に連結されていることを特徴とする請求項１乃至６のいずれか１項に記載の電子機器。
【請求項８】
互いに隣接する前記表示部の表示面同士の成す角度を検出する検出手段を有することを特徴とする請求項１乃至７のいずれか１項に記載の電子機器。
【請求項９】
前記筐体は第３の表示部を備え、
前記筐体に保持された前記第３の表示部の表示面の法線方向は、前記撮像部の撮像光軸と略平行であることを特徴とする請求項１に記載の電子機器。
【請求項１０】
撮像部を備えた筐体と、各々が独立して画像を表示可能な複数の表示部を備え、保持位置において前記筐体に保持された表示装置と、を有する電子機器の制御方法であって、
前記表示装置において、互いに隣接する前記表示部の表示面同士が成す角度が可変に構成され、
前記複数の表示部は、前記保持位置から最も遠い第１の表示部と、前記保持位置において前記筐体に保持された表示部を含む第２の表示部とを含み、
前記表示装置がとり得る状態として、互いに隣接する前記表示部の表示面同士が成す角度の全てが第１の角度より大きい第１状態と、互いに隣接する前記表示部の表示面同士が成す角度の全てが、前記第１の角度より小さい第２の角度より小さい第２状態と、前記第１状態または前記第２状態のいずれでもない第３状態とがあり、
前記第１の表示部は、前記筐体に対してなす角度を変更可能な少なくとも１つ以上の前記第２の表示部を介して前記筐体と接続されており、
前記第１の状態においては、前記第１の表示部と前記第２の表示部の少なくとも１つに画像を表示させ、前記第１の状態から前記第３状態に遷移した際に、前記第１の表示部に画像を表示させると共に、前記第２の表示部のいずれにも画像を表示させないよう制御することを特徴とする電子機器の制御方法。
【請求項１１】
撮像部を備えた筐体と、各々が独立して画像を表示可能な複数の表示部を備え、保持位置において前記筐体に保持された表示装置と、を有する電子機器の制御方法を、コンピュータに実行させるプログラムであって、
前記表示装置において、互いに隣接する前記表示部の表示面同士が成す角度が可変に構成され、
前記複数の表示部は、前記保持位置から最も遠い第１の表示部と、前記保持位置において前記筐体に保持された表示部を含む第２の表示部とを含み、
前記表示装置がとり得る状態として、互いに隣接する前記表示部の表示面同士が成す角度の全てが第１の角度より大きい第１状態と、互いに隣接する前記表示部の表示面同士が成す角度の全てが、前記第１の角度より小さい第２の角度より小さい第２状態と、前記第１状態または前記第２状態のいずれでもない第３状態とがあり、
前記第１の表示部は、前記筐体に対してなす角度を変更可能な少なくとも１つ以上の前記第２の表示部を介して前記筐体と接続されており、
前記第１の状態においては、前記第１の表示部と前記第２の表示部の少なくとも１つに画像を表示させ、前記第１の状態から前記第３状態に遷移した際に、前記第１の表示部に画像を表示させると共に、前記第２の表示部のいずれにも画像を表示させないよう制御することを特徴とするプログラム。